(57)【要約】【課題】本発明は指輪展示ケースを開示した。【解決手段】ケース主体を含み、前記ケース主体の上側には蓋が設置され、前記蓋と前記ケース主体との間には作動チャンバが設置され、前記作動チャンバの下端には動力チャンバが設置され、前記動力チャンバの下端壁にはモータが固定的に設置され、鍵をロックシリンダーに挿入し、そしてキー軸を回転させ、これによりウォームと、ウォームホイールと、ウォームホイール軸と、カムとの回転を連動させ、これにより昇降ラックを連動させて下方へ移動させ、これにより第一電線により第二電線と第三電線とを通電できるように連結し、本装置は回転しながら指輪を全方位的に展示でき、しかも指輪を一番高い高度まで上昇させることができ、人が指輪のデザインを観察することに便利を与え、同時に本装置を開けるには鍵が必要であり、指輪の安全性を確保する。【選択図】図１
2020179141.tif 000002
【特許請求の範囲】
【請求項１】
正面視で、ケース主体を含み、前記ケース主体の上側には蓋が設置され、前記蓋と前記ケース主体との間には作動チャンバが設置され、前記作動チャンバの下端には動力チャンバが設置され、前記動力チャンバの下端壁にはモータが固定的に設置され、前記モータの上端にはモータ軸が連結され、前記モータ軸が上方へ伸びて前記作動チャンバの中に入っており、且つ前記動力チャンバの上端壁と前記作動チャンバの下端壁とが回転できるように連結され、前記モータ軸の中には内溝が設置され、前記内溝の左端壁にはフェザーキー溝が設置され、前記内溝の中にはスライド軸がスライドできるように連結され、前記スライド軸の左端には前記フェザーキー溝とスライドできるように連結されたフェザーキーが固定的に設置され、前記フェザーキーが前記スライド軸の回転を連動させることができ、前記スライド軸の上端面には回転盤が固定的に設置され、前記回転盤の外周には回転ブロックが固定的に設置され、前記作動チャンバの中には昇降板がスライドできるように連結され、前記昇降板の中には前記回転ブロックとスライドできるように連結された回転溝が設置され、前記昇降板の下端面には親ネジが左右対称的に設置され、前記動力チャンバの下端壁にはネジスリーブが左右対称的に回転できるように連結され、前記ネジスリーブが前記親ネジとネジ山により連結され、前記ネジスリーブの下端にはそれぞれ第一プーリが固定的に設置され、前記第一プーリの間には駆動ベルトが連結され、右端の前記ネジスリーブには第二プーリが固定的に設置され、前記作動チャンバの右端壁には連通溝が設置され、前記連通溝の右端壁には駆動チャンバが設置され、前記駆動チャンバの中には昇降装置が設置され、前記昇降装置が前記昇降板の上下移動を制御でき、前記ケース主体の中には解錠溝が設置され、前記解錠溝の下端壁には昇降スライド溝が設置され、前記蓋の中には前記解錠溝と連通できる頂溝が設置され、前記解錠溝の左右端壁にはキー軸が回転できるように連結され、前記キー軸と前記ケース主体との中には回転をキーで制御するロックシリンダーが設置され、前記キー軸にはウォームが固定的に設置され、前記解錠溝と前記昇降スライド溝との中には始動装置が設置され、前記始動装置は前記蓋の回転と前記モータの起動とを制御し、前記蓋の左端面にはプルリングが固定的に設置され、前記回転盤の上端面には展示できる展示ラックが固定的に設置されたことを特徴とする指輪展示ケース。
【請求項２】
前記昇降装置は前記駆動チャンバの中に回転できるように装着された固定軸を含み、前記固定軸が前記作動チャンバと固定的に連結され、前記固定軸が前記ケース主体と回転できるように連結され、前記固定軸には第一ベベルギヤが固定的に設置され、前記駆動チャンバの下端壁には連結軸が回転できるように連結され、前記連結軸の上端には前記第一ベベルギヤと噛み合っている第二ベベルギヤが固定的に設置され、前記連結軸の下端には第三プーリが固定的に設置され、前記第三プーリの直径が前記第二プーリの直径より大きく、前記第三プーリと前記第二プーリとの間には連結ベルトが連結されたことを特徴とする請求項１に記載の指輪展示ケース。
【請求項３】
前記始動装置は前記解錠溝の前後端壁に回転できるように装着されたウォームホイール軸を含み、前記ウォームホイール軸の前端には前記ウォームと噛み合っているウォームホイールが固定的に設置され、前記ウォームホイール軸の後端にはカムが固定的に設置され、前記頂溝と前記昇降スライド溝との中には昇降ラックがスライドできるように連結され、前記昇降ラックの中には連動チャンバが設置され、前記連動チャンバの後端壁には軸溝が設置され、前記ウォームホイール軸が前記軸溝を通過しており、前記カムが前記連動チャンバとスライドできるように連結され、前記カムの回転が前記昇降ラックの上下移動を制御でき、前記昇降ラックの中には第一電線が固定的に設置され、前記ケース主体の中には電源が設置され、前記電源と前記昇降スライド溝との間には第二電線が通電できるように連結され、前記モータと前記昇降スライド溝との間には第三電線が通電できるように連結され、前記昇降ラックが下方へ移動する時、前記第一電線により前記第二電線と前記第三電線とを通電できるように連結できることを特徴とする請求項１に記載の指輪展示ケース。
【発明の詳細な説明】
【技術分野】
【０００１】
本発明はアクセサリー分野を取り上げて、具体的には指輪展示ケースである。
【背景技術】
【０００２】
指輪を売る時、指輪展示ケースを使用して指輪のスタイルを展示する必要があり、一般的な指輪展示ケースはただ指輪をケースの中に固定することしかできなく、指輪の各角度を全方位的に展示することができなく、しかも指輪を展示しない時、一定の防盗性を有しなく、指輪が盗まれやすい。
【先行技術文献】
【特許文献】
【０００３】
【特許文献１】中国特許出願公開第１０６９２３５７７号明細書
【発明の概要】
【発明が解決しようとする課題】
【０００４】
本発明は指輪展示ケースを提供し、上記背景技術において提出された問題を解決することを目的とする。
【課題を解決するための手段】
【０００５】
上記の目的を実現するために、本発明は以下の技術プランを提供する：指輪展示ケースは、ケース主体を含み、前記ケース主体の上側には蓋が設置され、前記蓋と前記ケース主体との間には作動チャンバが設置され、前記作動チャンバの下端には動力チャンバが設置され、前記動力チャンバの下端壁にはモータが固定的に設置され、前記モータの上端にはモータ軸が連結され、前記モータ軸が上方へ伸びて前記作動チャンバの中に入っており、且つ前記動力チャンバの上端壁と前記作動チャンバの下端壁とが回転できるように連結され、前記モータ軸の中には内溝が設置され、前記内溝の左端壁にはフェザーキー溝が設置され、前記内溝の中にはスライド軸がスライドできるように連結され、前記スライド軸の左端には前記フェザーキー溝とスライドできるように連結されたフェザーキーが固定的に設置され、前記フェザーキーが前記スライド軸の回転を連動させることができ、前記スライド軸の上端面には回転盤が固定的に設置され、前記回転盤の外周には回転ブロックが固定的に設置され、前記作動チャンバの中には昇降板がスライドできるように連結され、前記昇降板の中には前記回転ブロックとスライドできるように連結された回転溝が設置され、前記昇降板の下端面には親ネジが左右対称的に設置され、前記動力チャンバの下端壁にはネジスリーブが左右対称的に回転できるように連結され、前記ネジスリーブが前記親ネジとネジ山により連結され、前記ネジスリーブの下端にはそれぞれ第一プーリが固定的に設置され、前記第一プーリの間には駆動ベルトが連結され、右端の前記ネジスリーブには第二プーリが固定的に設置され、前記作動チャンバの右端壁には連通溝が設置され、前記連通溝の右端壁には駆動チャンバが設置され、前記駆動チャンバの中には昇降装置が設置され、前記昇降装置が前記昇降板の上下移動を制御でき、前記ケース主体の中には解錠溝が設置され、前記解錠溝の下端壁には昇降スライド溝が設置され、前記蓋の中には前記解錠溝と連通できる頂溝が設置され、前記解錠溝の左右端壁にはキー軸が回転できるように連結され、前記キー軸と前記ケース主体との中には回転をキーで制御するロックシリンダーが設置され、前記キー軸にはウォームが固定的に設置され、前記解錠溝と前記昇降スライド溝との中には始動装置が設置され、前記始動装置は前記蓋の回転と前記モータの起動とを制御し、前記蓋の左端面にはプルリングが固定的に設置され、前記回転盤の上端面には展示できる展示ラックが固定的に設置された。
【０００６】
好ましくは、前記昇降装置は前記駆動チャンバの中に回転できるように装着された固定軸を含み、前記固定軸が前記作動チャンバと固定的に連結され、前記固定軸が前記ケース主体と回転できるように連結され、前記固定軸には第一ベベルギヤが固定的に設置され、前記駆動チャンバの下端壁には連結軸が回転できるように連結され、前記連結軸の上端には前記第一ベベルギヤと噛み合っている第二ベベルギヤが固定的に設置され、前記連結軸の下端には第三プーリが固定的に設置され、前記第三プーリの直径が前記第二プーリの直径より大きく、前記第三プーリと前記第二プーリとの間には連結ベルトが連結された。
【０００７】
好ましくは、前記始動装置は前記解錠溝の前後端壁に回転できるように装着されたウォームホイール軸を含み、前記ウォームホイール軸の前端には前記ウォームと噛み合っているウォームホイールが固定的に設置され、前記ウォームホイール軸の後端にはカムが固定的に設置され、前記頂溝と前記昇降スライド溝との中には昇降ラックがスライドできるように連結され、前記昇降ラックの中には連動チャンバが設置され、前記連動チャンバの後端壁には軸溝が設置され、前記ウォームホイール軸が前記軸溝を通過しており、前記カムが前記連動チャンバとスライドできるように連結され、前記カムの回転が前記昇降ラックの上下移動を制御でき、前記昇降ラックの中には第一電線が固定的に設置され、前記ケース主体の中には電源が設置され、前記電源と前記昇降スライド溝との間には第二電線が通電できるように連結され、前記モータと前記昇降スライド溝との間には第三電線が通電できるように連結され、前記昇降ラックが下方へ移動する時、前記第一電線により前記第二電線と前記第三電線とを通電できるように連結できる。
【発明の効果】
【０００８】
以上により、本発明の有益効果は：本装置は回転しながら指輪を全方位的に展示でき、しかも指輪を一番高い高度まで上昇させることができ、人が指輪のデザインを観察することに便利を与え、同時に本装置を開けるには鍵が必要であり、指輪の安全性を確保する。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の指輪展示ケースの全体全断面の正面構成模式図
【図２】図２は本発明の図１のＡのところの部分拡大図
【図３】図３は本発明の図１のＢのところの部分拡大図
【図４】図４は本発明の図２の中のＣ−Ｃ方向の断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜４を参照し、本発明の実施例の指輪展示ケースは、ケース主体３３を含み、前記ケース主体３３の上側には蓋２２が設置され、前記蓋２２と前記ケース主体３３との間には作動チャンバ２３が設置され、前記作動チャンバ２３の下端には動力チャンバ４３が設置され、前記動力チャンバ４３の下端壁にはモータ３６が固定的に設置され、前記モータ３６の上端にはモータ軸３７が連結され、前記モータ軸３７が上方へ伸びて前記作動チャンバ２３の中に入っており、且つ前記動力チャンバ４３の上端壁と前記作動チャンバ２３の下端壁とが回転できるように連結され、前記モータ軸３７の中には内溝３８が設置され、前記内溝３８の左端壁にはフェザーキー溝４０が設置され、前記内溝３８の中にはスライド軸３９がスライドできるように連結され、前記スライド軸３９の左端には前記フェザーキー溝４０とスライドできるように連結されたフェザーキー４１が固定的に設置され、前記フェザーキー４１が前記スライド軸３９の回転を連動させることができ、前記スライド軸３９の上端面には回転盤４９が固定的に設置され、前記回転盤４９の外周には回転ブロック５１が固定的に設置され、前記作動チャンバ２３の中には昇降板５２がスライドできるように連結され、前記昇降板５２の中には前記回転ブロック５１とスライドできるように連結された回転溝５０が設置され、前記昇降板５２の下端面には親ネジ３１が左右対称的に設置され、前記動力チャンバ４３の下端壁にはネジスリーブ３０が左右対称的に回転できるように連結され、前記ネジスリーブ３０が前記親ネジ３１とネジ山により連結され、前記ネジスリーブ３０の下端にはそれぞれ第一プーリ３２が固定的に設置され、前記第一プーリ３２の間には駆動ベルト３５が連結され、右端の前記ネジスリーブ３０には第二プーリ２９が固定的に設置され、前記作動チャンバ２３の右端壁には連通溝２７が設置され、前記連通溝２７の右端壁には駆動チャンバ２６が設置され、前記駆動チャンバ２６の中には昇降装置１０１が設置され、前記昇降装置１０１が前記昇降板５２の上下移動を制御でき、前記ケース主体３３の中には解錠溝６０が設置され、前記解錠溝６０の下端壁には昇降スライド溝４５が設置され、前記蓋２２の中には前記解錠溝６０と連通できる頂溝５４が設置され、前記解錠溝６０の左右端壁にはキー軸５６が回転できるように連結され、前記キー軸５６と前記ケース主体３３との中には回転をキーで制御するロックシリンダー６１が設置され、前記キー軸５６にはウォーム６２が固定的に設置され、前記解錠溝６０と前記昇降スライド溝４５との中には始動装置１０２が設置され、前記始動装置１０２は前記蓋２２の回転と前記モータ３６の起動とを制御し、前記蓋２２の左端面にはプルリング２１が固定的に設置され、前記回転盤４９の上端面には展示できる展示ラック２４が固定的に設置された。
【００１４】
前記昇降装置１０１は前記駆動チャンバ２６の中に回転できるように装着された固定軸６５を含み、前記固定軸６５が前記作動チャンバ２３と固定的に連結され、前記固定軸６５が前記ケース主体３３と回転できるように連結され、前記固定軸６５には第一ベベルギヤ６６が固定的に設置され、前記駆動チャンバ２６の下端壁には連結軸６３が回転できるように連結され、前記連結軸６３の上端には前記第一ベベルギヤ６６と噛み合っている第二ベベルギヤ６４が固定的に設置され、前記連結軸６３の下端には第三プーリ２８が固定的に設置され、前記第三プーリ２８の直径が前記第二プーリ２９の直径より大きく、前記第三プーリ２８と前記第二プーリ２９との間には連結ベルト２５が連結され、前記蓋２２が開けられる過程において、前記固定軸６５と、前記第一ベベルギヤ６６と、前記第二ベベルギヤ６４と、前記連結軸６３と、前記第三プーリ２８と、前記第二プーリ２９との回転を連動させ、前記親ネジ３１により前記昇降板５２を上げることができる。
【００１５】
前記始動装置１０２は前記解錠溝６０の前後端壁に回転できるように装着されたウォームホイール軸５９を含み、前記ウォームホイール軸５９の前端には前記ウォーム６２と噛み合っているウォームホイール５８が固定的に設置され、前記ウォームホイール軸５９の後端にはカム５７が固定的に設置され、前記頂溝５４と前記昇降スライド溝４５との中には昇降ラック５５がスライドできるように連結され、前記昇降ラック５５の中には連動チャンバ５３が設置され、前記連動チャンバ５３の後端壁には軸溝６７が設置され、前記ウォームホイール軸５９が前記軸溝６７を通過しており、前記カム５７が前記連動チャンバ５３とスライドできるように連結され、前記カム５７の回転が前記昇降ラック５５の上下移動を制御でき、前記昇降ラック５５の中には第一電線４６が固定的に設置され、前記ケース主体３３の中には電源４４が設置され、前記電源４４と前記昇降スライド溝４５との間には第二電線４７が通電できるように連結され、前記モータ３６と前記昇降スライド溝４５との間には第三電線４２が通電できるように連結され、前記昇降ラック５５が下方へ移動する時、前記第一電線４６により前記第二電線４７と前記第三電線４２とを通電できるように連結でき、前記キー軸５６を回転させ、これにより前記ウォーム６２と、前記ウォームホイール５８と、前記ウォームホイール軸５９と、前記カム５７との回転を連動させ、これにより前記昇降ラック５５を連動させて下方へ移動させ、これにより前記第一電線４６により前記第二電線４７と前記第三電線４２とを通電できるように連結し、これにより前記モータ３６が前記モータ軸３７を連動させて回転させ始める。
【００１６】
使用する時、鍵をロックシリンダー６１に挿入し、そしてキー軸５６を回転させ、これによりウォーム６２と、ウォームホイール５８と、ウォームホイール軸５９と、カム５７との回転を連動させ、これにより昇降ラック５５を連動させて下方へ移動させ、これにより第一電線４６により第二電線４７と第三電線４２とを通電できるように連結し、これによりモータ３６がモータ軸３７を連動させて回転させ始め、これによりスライド軸３９と、回転盤４９と、展示ラック２４とを連動させて回転させ、そしてプルリング２１により蓋２２を開ける過程において、固定軸６５と、第一ベベルギヤ６６と、第二ベベルギヤ６４と、連結軸６３と、第三プーリ２８と、第二プーリ２９との回転を連動させ、これによりネジスリーブ３０と第一プーリ３２との回転を連動させ、これにより親ネジ３１が昇降板５２と回転盤４９とを連動させて上昇させ、最終に展示ラック２４を頂端まで上昇させて回転させることにより指輪を展示する。
【００１７】
本発明の有益効果は：本装置は回転しながら指輪を全方位的に展示でき、しかも指輪を一番高い高度まで上昇させることができ、人が指輪のデザインを観察することに便利を与え、同時に本装置を開けるには鍵が必要であり、指輪の安全性を確保する。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020179141.tif 000003
【図２】
2020179141.tif 000004
【図３】
2020179141.tif 000005
【図４】
2020179141.tif 000006
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
正面視で、ケース主体を含み、前記ケース主体の上側には蓋が設置され、前記蓋と前記ケース主体との間には作動チャンバが設置され、前記作動チャンバの下側には動力チャンバが設置され、前記動力チャンバの下端壁にはモータが固定的に設置され、前記モータの上端にはモータ軸が連結され、前記モータ軸が上方へ伸びて前記作動チャンバの中に入っており、且つ前記動力チャンバの上端壁と前記作動チャンバの下端壁とが回転できるように連結され、前記モータ軸の中には内溝が設置され、前記内溝の左端壁にはフェザーキー溝が設置され、前記内溝の中にはスライド軸がスライドできるように連結され、前記スライド軸の左端には前記フェザーキー溝とスライドできるように連結されたフェザーキーが固定的に設置され、前記フェザーキーが前記スライド軸の回転を連動させることができ、前記スライド軸の上端面には回転盤が固定的に設置され、前記回転盤の外周には回転ブロックが固定的に設置され、前記作動チャンバの中には昇降板がスライドできるように連結され、前記昇降板の中には回転溝が設置され、前記回転溝の中には前記回転ブロックがスライドできるように設置され、前記昇降板の下端面には親ネジが左右対称的に設置され、前記動力チャンバの下端壁にはネジスリーブが左右対称的に回転できるように連結され、前記ネジスリーブが前記親ネジとネジ山により連結され、前記ネジスリーブの下端にはそれぞれ第一プーリが固定的に設置され、左側の前記第一プーリと右側の前記第一プーリとの間には駆動ベルトが連結され、右端の前記ネジスリーブには第二プーリが固定的に設置され、前記作動チャンバの右端壁には連通溝が設置され、前記連通溝の右端壁には駆動チャンバが設置され、前記駆動チャンバの中には昇降装置が設置され、前記昇降装置が前記昇降板の上下移動を制御でき、前記ケース主体の中には解錠溝が設置され、前記解錠溝の下端壁には昇降スライド溝が設置され、前記蓋の中には前記解錠溝と連通できる頂溝が設置され、前記解錠溝の左右端壁にはキー軸が回転できるように連結され、前記キー軸と前記ケース主体との中には回転をキーで制御するロックシリンダーが設置され、前記キー軸にはウォームが固定的に設置され、前記解錠溝と前記昇降スライド溝との中には始動装置が設置され、前記始動装置は前記蓋の回転と前記モータの起動とを制御し、前記蓋の左端面にはプルリングが固定的に設置され、前記回転盤の上端面には展示できる展示ラックが固定的に設置されたことを特徴とする指輪展示ケース。
【請求項２】
前記昇降装置は前記駆動チャンバの中に回転できるように装着された固定軸を含み、前記固定軸が前記蓋と固定的に連結され、前記固定軸が前記ケース主体と回転できるように連結され、前記固定軸には第一ベベルギヤが固定的に設置され、前記駆動チャンバの下端壁には連結軸が回転できるように連結され、前記連結軸の上端には前記第一ベベルギヤと噛み合っている第二ベベルギヤが固定的に設置され、前記連結軸の下端には第三プーリが固定的に設置され、前記第三プーリの直径が前記第二プーリの直径より大きく、前記第三プーリと前記第二プーリとの間には連結ベルトが連結されたことを特徴とする請求項１に記載の指輪展示ケース。
【請求項３】
前記始動装置は前記解錠溝の前後端壁に回転できるように装着されたウォームホイール軸を含み、前記ウォームホイール軸の前端には前記ウォームと噛み合っているウォームホイールが固定的に設置され、前記ウォームホイール軸の後端にはカムが固定的に設置され、前記頂溝と前記昇降スライド溝との中には昇降ラックがスライドできるように連結され、前記昇降ラックの中には連動チャンバが設置され、前記連動チャンバの後端壁には軸溝が設置され、前記ウォームホイール軸が前記軸溝を通過しており、前記カムが前記連動チャンバとスライドできるように連結され、前記カムの回転が前記昇降ラックの上下移動を制御でき、前記昇降ラックの中には第一電線が固定的に設置され、前記ケース主体の中には電源が設置され、前記電源と前記昇降スライド溝との間には第二電線が通電できるように連結され、前記モータと前記昇降スライド溝との間には第三電線が通電できるように連結され、前記昇降ラックが下方へ移動する時、前記第一電線により前記第二電線と前記第三電線とを通電できるように連結できることを特徴とする請求項１に記載の指輪展示ケース。
【手続補正２】
【補正対象書類名】明細書
【補正対象項目名】全文
【補正方法】変更
【補正の内容】
【発明の詳細な説明】
【技術分野】
【０００１】
本発明はアクセサリー分野を取り上げて、具体的には指輪展示ケースである。
【背景技術】
【０００２】
指輪を売る時、指輪展示ケースを使用して指輪のスタイルを展示する必要があり、一般的な指輪展示ケースはただ指輪をケースの中に固定することしかできなく、指輪の各角度を全方位的に展示することができなく、しかも指輪を展示しない時、一定の防盗性を有しなく、指輪が盗まれやすい。
【先行技術文献】
【特許文献】
【０００３】
【特許文献１】中国特許出願公開第１０６９２３５７７号明細書
【発明の概要】
【発明が解決しようとする課題】
【０００４】
本発明は指輪展示ケースを提供し、上記背景技術において提出された問題を解決することを目的とする。
【課題を解決するための手段】
【０００５】
上記の目的を実現するために、本発明は以下の技術プランを提供する：指輪展示ケースは、ケース主体を含み、前記ケース主体の上側には蓋が設置され、前記蓋と前記ケース主体との間には作動チャンバが設置され、前記作動チャンバの下側には動力チャンバが設置され、前記動力チャンバの下端壁にはモータが固定的に設置され、前記モータの上端にはモータ軸が連結され、前記モータ軸が上方へ伸びて前記作動チャンバの中に入っており、且つ前記動力チャンバの上端壁と前記作動チャンバの下端壁とが回転できるように連結され、前記モータ軸の中には内溝が設置され、前記内溝の左端壁にはフェザーキー溝が設置され、前記内溝の中にはスライド軸がスライドできるように連結され、前記スライド軸の左端には前記フェザーキー溝とスライドできるように連結されたフェザーキーが固定的に設置され、前記フェザーキーが前記スライド軸の回転を連動させることができ、前記スライド軸の上端面には回転盤が固定的に設置され、前記回転盤の外周には回転ブロックが固定的に設置され、前記作動チャンバの中には昇降板がスライドできるように連結され、前記昇降板の中には回転溝が設置され、前記回転溝の中には前記回転ブロックがスライドできるように設置され、前記昇降板の下端面には親ネジが左右対称的に設置され、前記動力チャンバの下端壁にはネジスリーブが左右対称的に回転できるように連結され、前記ネジスリーブが前記親ネジとネジ山により連結され、前記ネジスリーブの下端にはそれぞれ第一プーリが固定的に設置され、左側の前記第一プーリと右側の前記第一プーリとの間には駆動ベルトが連結され、右端の前記ネジスリーブには第二プーリが固定的に設置され、前記作動チャンバの右端壁には連通溝が設置され、前記連通溝の右端壁には駆動チャンバが設置され、前記駆動チャンバの中には昇降装置が設置され、前記昇降装置が前記昇降板の上下移動を制御でき、前記ケース主体の中には解錠溝が設置され、前記解錠溝の下端壁には昇降スライド溝が設置され、前記蓋の中には前記解錠溝と連通できる頂溝が設置され、前記解錠溝の左右端壁にはキー軸が回転できるように連結され、前記キー軸と前記ケース主体との中には回転をキーで制御するロックシリンダーが設置され、前記キー軸にはウォームが固定的に設置され、前記解錠溝と前記昇降スライド溝との中には始動装置が設置され、前記始動装置は前記蓋の回転と前記モータの起動とを制御し、前記蓋の左端面にはプルリングが固定的に設置され、前記回転盤の上端面には展示できる展示ラックが固定的に設置された。
【０００６】
好ましくは、前記昇降装置は前記駆動チャンバの中に回転できるように装着された固定軸を含み、前記固定軸が前記蓋と固定的に連結され、前記固定軸が前記ケース主体と回転できるように連結され、前記固定軸には第一ベベルギヤが固定的に設置され、前記駆動チャンバの下端壁には連結軸が回転できるように連結され、前記連結軸の上端には前記第一ベベルギヤと噛み合っている第二ベベルギヤが固定的に設置され、前記連結軸の下端には第三プーリが固定的に設置され、前記第三プーリの直径が前記第二プーリの直径より大きく、前記第三プーリと前記第二プーリとの間には連結ベルトが連結された。
【０００７】
好ましくは、前記始動装置は前記解錠溝の前後端壁に回転できるように装着されたウォームホイール軸を含み、前記ウォームホイール軸の前端には前記ウォームと噛み合っているウォームホイールが固定的に設置され、前記ウォームホイール軸の後端にはカムが固定的に設置され、前記頂溝と前記昇降スライド溝との中には昇降ラックがスライドできるように連結され、前記昇降ラックの中には連動チャンバが設置され、前記連動チャンバの後端壁には軸溝が設置され、前記ウォームホイール軸が前記軸溝を通過しており、前記カムが前記連動チャンバとスライドできるように連結され、前記カムの回転が前記昇降ラックの上下移動を制御でき、前記昇降ラックの中には第一電線が固定的に設置され、前記ケース主体の中には電源が設置され、前記電源と前記昇降スライド溝との間には第二電線が通電できるように連結され、前記モータと前記昇降スライド溝との間には第三電線が通電できるように連結され、前記昇降ラックが下方へ移動する時、前記第一電線により前記第二電線と前記第三電線とを通電できるように連結できる。
【発明の効果】
【０００８】
以上により、本発明の有益効果は：本装置は回転しながら指輪を全方位的に展示でき、しかも指輪を一番高い高度まで上昇させることができ、人が指輪のデザインを観察することに便利を与え、同時に本装置を開けるには鍵が必要であり、指輪の安全性を確保する。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の指輪展示ケースの全体全断面の正面構成模式図
【図２】図２は本発明の図１のＡのところの部分拡大図
【図３】図３は本発明の図１のＢのところの部分拡大図
【図４】図４は本発明の図２の中のＣ−Ｃ方向の断面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１３】
図１〜４を参照し、本発明の実施例の指輪展示ケースは、ケース主体３３を含み、前記ケース主体３３の上側には蓋２２が設置され、前記蓋２２と前記ケース主体３３との間には作動チャンバ２３が設置され、前記作動チャンバ２３の下側には動力チャンバ４３が設置され、前記動力チャンバ４３の下端壁にはモータ３６が固定的に設置され、前記モータ３６の上端にはモータ軸３７が連結され、前記モータ軸３７が上方へ伸びて前記作動チャンバ２３の中に入っており、且つ前記動力チャンバ４３の上端壁と前記作動チャンバ２３の下端壁とが回転できるように連結され、前記モータ軸３７の中には内溝３８が設置され、前記内溝３８の左端壁にはフェザーキー溝４０が設置され、前記内溝３８の中にはスライド軸３９がスライドできるように連結され、前記スライド軸３９の左端には前記フェザーキー溝４０とスライドできるように連結されたフェザーキー４１が固定的に設置され、前記フェザーキー４１が前記スライド軸３９の回転を連動させることができ、前記スライド軸３９の上端面には回転盤４９が固定的に設置され、前記回転盤４９の外周には回転ブロック５１が固定的に設置され、前記作動チャンバ２３の中には昇降板５２がスライドできるように連結され、前記昇降板５２の中には回転溝５０が設置され、前記回転溝５０の中には前記回転ブロック５１がスライドできるように設置され、前記昇降板５２の下端面には親ネジ３１が左右対称的に設置され、前記動力チャンバ４３の下端壁にはネジスリーブ３０が左右対称的に回転できるように連結され、前記ネジスリーブ３０が前記親ネジ３１とネジ山により連結され、前記ネジスリーブ３０の下端にはそれぞれ第一プーリ３２が固定的に設置され、左側の前記第一プーリ３２と右側の前記第一プーリ３２との間には駆動ベルト３５が連結され、右端の前記ネジスリーブ３０には第二プーリ２９が固定的に設置され、前記作動チャンバ２３の右端壁には連通溝２７が設置され、前記連通溝２７の右端壁には駆動チャンバ２６が設置され、前記駆動チャンバ２６の中には昇降装置１０１が設置され、前記昇降装置１０１が前記昇降板５２の上下移動を制御でき、前記ケース主体３３の中には解錠溝６０が設置され、前記解錠溝６０の下端壁には昇降スライド溝４５が設置され、前記蓋２２の中には前記解錠溝６０と連通できる頂溝５４が設置され、前記解錠溝６０の左右端壁にはキー軸５６が回転できるように連結され、前記キー軸５６と前記ケース主体３３との中には回転をキーで制御するロックシリンダー６１が設置され、前記キー軸５６にはウォーム６２が固定的に設置され、前記解錠溝６０と前記昇降スライド溝４５との中には始動装置１０２が設置され、前記始動装置１０２は前記蓋２２の回転と前記モータ３６の起動とを制御し、前記蓋２２の左端面にはプルリング２１が固定的に設置され、前記回転盤４９の上端面には展示できる展示ラック２４が固定的に設置された。
【００１４】
前記昇降装置１０１は前記駆動チャンバ２６の中に回転できるように装着された固定軸６５を含み、前記固定軸６５が前記蓋２２と固定的に連結され、前記固定軸６５が前記ケース主体３３と回転できるように連結され、前記固定軸６５には第一ベベルギヤ６６が固定的に設置され、前記駆動チャンバ２６の下端壁には連結軸６３が回転できるように連結され、前記連結軸６３の上端には前記第一ベベルギヤ６６と噛み合っている第二ベベルギヤ６４が固定的に設置され、前記連結軸６３の下端には第三プーリ２８が固定的に設置され、前記第三プーリ２８の直径が前記第二プーリ２９の直径より大きく、前記第三プーリ２８と前記第二プーリ２９との間には連結ベルト２５が連結され、前記蓋２２が開けられる過程において、前記固定軸６５と、前記第一ベベルギヤ６６と、前記第二ベベルギヤ６４と、前記連結軸６３と、前記第三プーリ２８と、前記第二プーリ２９との回転を連動させ、前記親ネジ３１により前記昇降板５２を上げることができる。
【００１５】
前記始動装置１０２は前記解錠溝６０の前後端壁に回転できるように装着されたウォームホイール軸５９を含み、前記ウォームホイール軸５９の前端には前記ウォーム６２と噛み合っているウォームホイール５８が固定的に設置され、前記ウォームホイール軸５９の後端にはカム５７が固定的に設置され、前記頂溝５４と前記昇降スライド溝４５との中には昇降ラック５５がスライドできるように連結され、前記昇降ラック５５の中には連動チャンバ５３が設置され、前記連動チャンバ５３の後端壁には軸溝６７が設置され、前記ウォームホイール軸５９が前記軸溝６７を通過しており、前記カム５７が前記連動チャンバ５３とスライドできるように連結され、前記カム５７の回転が前記昇降ラック５５の上下移動を制御でき、前記昇降ラック５５の中には第一電線４６が固定的に設置され、前記ケース主体３３の中には電源４４が設置され、前記電源４４と前記昇降スライド溝４５との間には第二電線４７が通電できるように連結され、前記モータ３６と前記昇降スライド溝４５との間には第三電線４２が通電できるように連結され、前記昇降ラック５５が下方へ移動する時、前記第一電線４６により前記第二電線４７と前記第三電線４２とを通電できるように連結でき、前記キー軸５６を回転させ、これにより前記ウォーム６２と、前記ウォームホイール５８と、前記ウォームホイール軸５９と、前記カム５７との回転を連動させ、前記昇降ラック５５は下方へ移動するときに前記第一電線４６を介して前記第二電線４７と前記第三電線４２とを通電できるように連結でき、これにより前記モータ３６が前記モータ軸３７を連動させて回転させ始める。
【００１６】
使用する時、鍵をロックシリンダー６１に挿入し、そしてキー軸５６を回転させ、これによりウォーム６２と、ウォームホイール５８と、ウォームホイール軸５９と、カム５７との回転を連動させ、これにより昇降ラック５５を連動させて下方へ移動させ、これにより第一電線４６により第二電線４７と第三電線４２とを通電できるように連結し、これによりモータ３６がモータ軸３７を連動させて回転させ始め、これによりスライド軸３９と、回転盤４９と、展示ラック２４とを連動させて回転させ、そしてプルリング２１により蓋２２を開ける過程において、固定軸６５と、第一ベベルギヤ６６と、第二ベベルギヤ６４と、連結軸６３と、第三プーリ２８と、第二プーリ２９との回転を連動させ、これによりネジスリーブ３０と第一プーリ３２との回転を連動させ、これにより親ネジ３１が昇降板５２と回転盤４９とを連動させて上昇させ、最終に展示ラック２４を頂端まで上昇させて回転させることにより指輪を展示する。
【００１７】
本発明の有益効果は：本装置は回転しながら指輪を全方位的に展示でき、しかも指輪を一番高い高度まで上昇させることができ、人が指輪のデザインを観察することに便利を与え、同時に本装置を開けるには鍵が必要であり、指輪の安全性を確保する。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。